(57)【要約】      （修正有）【課題】作業性の向上を図ることが可能なサンバイザ支持部材取付構造を提供する。【解決手段】ブラケット１０と、ブラケット１０に設けられサンバイザ本体から延びる軸部を支持する支持部１２と、ブラケット１０に設けられ車両の天井パネルに形成した孔に係合自在な弾性片２２及び引っ掛け爪１３と、を備えたサンバイザ支持部材１を天井パネルに取り付けるためのサンバイザ支持部材１取付構造であって、弾性片２２は、ブラケット１０の一側に設けられ、サンバイザ支持部材１の孔へ挿入時においてその反力によりブラケット１０の他側方向へブラケット１０をスライドさせ、引っ掛け爪１３は、ブラケット１０の他側に設けられスライドにより天井パネルに係合する。【選択図】図１
2014019420.tif 000002
【特許請求の範囲】
【請求項１】
基部と、当該基部に設けられサンバイザ本体から延びる軸部を支持する支持部と、当該基部に設けられ車両の天井パネルに形成した孔に係合自在な係合手段と、を備えたサンバイザ支持部材を前記天井パネルに取り付けるためのサンバイザ支持部材取付構造であって、
前記係合手段は、前記基部の一側に設けられた弾性片からなり前記サンバイザ支持部材の前記孔へ挿入時においてその反力により前記基部の一側と反対側方向となる他側へ前記基部をスライドさせる第１係合手段と、前記基部の他側に設けられた引っ掛け爪からなり前記スライドされたことより前記天井パネルに係合する第２係合手段と、
を備えることを特徴とするサンバイザ支持部材取付構造。
【請求項２】
前記第１係合手段は、反力により前記基部をスライドさせる第１の弾性片と、前記スライド方向を挟む両サイド位置に形成されて前記孔に係合する第２及び第３の弾性片と、を有する
ことを特徴とするサンバイザ支持部材取付構造。
【発明の詳細な説明】
【技術分野】
【０００１】
本発明は、車両室内に入射する光を遮断するサンバイザを支持するサンバイザ支持部材を車両の天井パネルに取り付けるサンバイザ支持部材取付構造に関する。
【背景技術】
【０００２】
従来、車両の運転席前や助手席前の上方にはサンバイザが取り付けられることが知られている。このサンバイザは軸部を中心に回転可能となっており、前方からの光を遮断するのみならず側方等からの光についても遮断可能となっている。このようなサンバイザを車両の天井パネルに取り付けるにあたっては、サンバイザ支持部材が用いられることが知られている。
【０００３】
このようなサンバイザ支持部材には、平板状の基部と、基部に設けられサンバイザ本体から伸びる軸の端部を支持する支持部と、基部に設けられ天井パネルに形成された孔に係合自在な係合手段とを備えたものが提案されている（特許文献１参照）。
【０００４】
図６は、従来のサンバイザ支持部材の取付工程を示す側面図である。図６に示すように、従来のサンバイザ支持部材１００は、基部１０１と、支持部１０２と、係合手段１０３，１０４と、挿入部材１０５を備えている。このうち第１係合部１０３は、基部１０１の一端側に形成され支持部１０２の上方から一端側方向へ延出している。また、第２係合部１０４は、基部１０１の他端側に形成され天井パネルＰへの挿入時に天井パネルＰに引っ掛かる係合爪から構成されている。挿入部材１０５は、基部１０１の他端側から延びる部材であって、第２係合部１０４の内部に設けられた空間に挿入されるものである。
【０００５】
このようなサンバイザ支持部材１００を天井パネルＰに固定する場合、まずサンバイザ支持部材１００を傾けて天井パネルＰの孔に第１係合部１０３を挿入する。次に、サンバイザ支持部材１００を矢印Ｄ１方向に回動させ基部１０２の他端側に形成された第２係合部１０４を天井パネルＰの孔に係合させる。これにより、サンバイザ支持部材１００の仮固定が行われる。
【０００６】
その後、挿入部材１０５を矢印Ｄ２方向に回動させることにより、挿入部材１０５を第２係合部１０４内に挿入する。挿入部材１０５が挿入されると第２係合部１０４は弾性変形し難くなり、サンバイザ支持部材１００が天井パネルＰに本固定されることとなる。
【先行技術文献】
【特許文献】
【０００７】
【特許文献１】特開２０００−３４３９４２号公報
【発明の概要】
【０００８】
しかし、特許文献１に記載のサンバイザ指示部材１００は、仮固定にあたり、第１係合部１０３を挿入した後に、サンバイザ支持部材１００を回動させて第２係合部１０４による係合を行うため、仮固定において挿入と回動との２操作が必要となる。特に、サンバイザは車両天井部に取り付けられることから、仮固定において作業者が作業し易い位置にあるとは言い難く、このような状態において挿入と回動との２操作を行うことは、決して作業性が良いとは言い難い。
【０００９】
本発明はこのような課題を解決するものであり、その目的とするところは作業性の向上を図ることが可能なサンバイザ支持部材取付構造を提供することにある。
【課題を解決するための手段】
【００１０】
本発明のサンバイザ支持部材取付構造は、基部と、当該基部に設けられサンバイザ本体から延びる軸部を支持する支持部と、当該基部に設けられ車両の天井パネルに形成した孔に係合自在な係合手段と、を備えたサンバイザ支持部材を天井パネルに取り付けるためのサンバイザ支持部材取付構造であって、係合手段は、基部の一側に設けられた弾性片からなりサンバイザ支持部材の孔へ挿入時においてその反力により基部の一側と反対側方向となる他側へ基部をスライドさせる第１係合手段と、基部の他側に設けられた引っ掛け爪からなりスライドされたことより天井パネルに係合する第２係合手段と、を備えることを特徴とする。
【００１１】
このサンバイザ支持部材取付構造によれば、サンバイザ支持部材の孔へ挿入時において弾性片の反力により基部の一側と反対側方向へ基部をスライドさせ、このスライドにより天井パネルに引っ掛け爪を係合させる。このため、単にサンバイザ支持部材を天井パネルの孔に挿入すれば、弾性片の反力により引っ掛け爪が天井パネルに係合されることとなり、挿入という１操作によりサンバイザ支持部材を天井パネルに取り付けることができる。従って、作業性の向上を図ることができる。
【００１２】
また、サンバイザ支持部材取付構造において、第１係合手段は、反力により基部をスライドさせる第１の弾性片と、スライド方向を挟む両サイド位置に形成されて孔に係合する第２及び第３の弾性片と、を有する。
【００１３】
このサンバイザ支持部材取付構造によれば、スライド方向を挟む両サイド位置に形成されて孔に係合する第２及び第３の弾性片を有するため、サンバイザ支持部材に回動する力が加わったとしても、３つの弾性片で固定することにより回動方向の力によりサンバイザ支持部材が外れてしまう事態を効果的に防止することができる。
【発明の効果】
【００１４】
本発明によれば、作業性の向上を図ることが可能なサンバイザ支持部材取付構造を提供することができる。
【図面の簡単な説明】
【００１５】
【図１】本発明の実施形態に係るサンバイザ支持部材取付構造に用いられるサンバイザ支持部材を示す斜視図である。
【図２】図１に示した鉄クリップの詳細を示す断面図であり、（ａ）は図１のＡ−Ａ断面を示し、（ｂ）は図１のＢ−Ｂ断面を示している。
【図３】サンバイザ支持部材の取付方法を示す断面図であって、（ａ）は取付前の状態を示し、（ｂ）は仮固定状態を示し、（ｃ）は本固定状態を示している。
【図４】半挿入状態におけるピンと鉄クリップとの関係を示す断面図である。
【図５】完全挿入状態におけるピンと鉄クリップとの関係を示す断面図である。
【図６】従来のサンバイザ支持部材の取付工程を示す側面図であり、（ａ）は挿入工程を示し、（ｂ）は第１回動工程を示し、（ｃ）は第２回動工程を示している。
【発明を実施するための形態】
【００１６】
以下、本発明の一実施形態を図面と共に説明する。図１は、本発明の実施形態に係るサンバイザ支持部材取付構造に用いられるサンバイザ支持部材を示す斜視図である。
【００１７】
図１に示すサンバイザ支持部材１は、車両室内に入射する光を遮断するサンバイザを天井パネルに支持するための部材であって、ブラケット（基部）１０と、鉄クリップ（第１係合手段）２０と、ピン３０とから構成されている。
【００１８】
図１に示すように、ブラケット１０は、略お椀形の外壁１１の内部に支持部１２を有している。支持部１２は、ブラケット１０の他側に形成された略円筒形状の部位であって、サンバイザ本体から延びる軸部を円筒内に挿入した状態で支持するものである。また、支持部１２は、その構造上、サンバイザ本体から延びる軸部が回動可能となる状態で支持するものである。なお、外壁１１は、ピン３０が挿入されて本固定されたときに面一となるように切り欠き部１１ａが形成されている。
【００１９】
また、ブラケット１０は、支持部１２よりも更に他側に引っ掛け爪１３を有している。この引っ掛け爪１３は、鉄クリップ２０と共に、車両の天井パネルに形成した孔に係合自在となる係合部として機能するものである。
【００２０】
鉄クリップ２０は、ブラケット１０の一側に設けられ、車両の天井パネルに形成した孔に係合自在となる係合部として機能するものである。この鉄クリップ２０は、断面略Ｕ字状の部材であって、ブラケット１０に対して係止状態で設けられている。このような鉄クリップ２０は、基端部２１と、複数の弾性片２２〜２４と、ブラケット係止部２５とから構成されている。
【００２１】
複数の弾性片２２〜２４は、それぞれが略Ｌ字状に２回折り返された形状となっており、基端部２１からブラケット１０の一側に伸びる第１弾性片２２と、この第１弾性片２２を挟むように設けられて基端部２１から側方に伸びる第２及び第３弾性片２３，２４とからなっている。
【００２２】
図２は、図１に示した鉄クリップ２０の詳細を示す断面図であり、（ａ）は図１のＡ−Ａ断面を示し、（ｂ）は図１のＢ−Ｂ断面を示している。
【００２３】
図２（ａ）に示すように、鉄クリップ２０のブラケット係止部２５は、基端部２１の両側から下方に向けて延びている。ブラケット係止部２５の先端２５ａは略Ｌ字に折れ曲がっており、ブラケット１０に形成された開口１０ａを通じてブラケット１０の下面側に引っ掛かるようになっている。このため、鉄クリップ２０に対して上方に力が加わったとしてもブラケット係止部２５の先端２５ａによってブラケット１０に引っ掛かり、上方に抜けてしまわないようになっている。
【００２４】
また、図２（ｂ）に示すように、鉄クリップ２０は、基端部２１の中央付近から両側方にそれぞれ第２及び第３弾性片２３，２４が形成されている。上記したように、第２及び第３弾性片２３，２４は、略Ｌ字状に２回折り返されており、その先端２３ａ，２４ａはブラケット１０の上面近傍に位置するようになっている。このため、仮に鉄クリップ２０に対して下方に力が加わったとしても、第２及び第３弾性片２３，２４の先端２３ａ，２４ａがブラケット１０の上面に接触することとなり、下方に抜けてしまわないようになっている。
【００２５】
再度、図１を参照する。ピン３０は、ブラケット１０に形成された開口１０ａに挿入される部材である。このピン３０は、半お椀形の基部３１と、基部３１に立設するピン部３２とからなっている。
【００２６】
基部３１は、ピン３０がブラケット１０の開口１０ａに完全に挿入された場合、切り欠き部１１ａに合致して外壁１１と面一となる。ピン部３２は、先端部３２ａと、肉厚部３２ｂ〜３２ｄを有している。先端部３２ａは、断面が半円形状となっている。肉厚部３２ｂ〜３２ｄは、基部３１と先端部３２ａとを接続する支柱３２ｅに対して肉厚となる部位であり、第１肉厚部３２ｂは支柱３２ｅに対して一側に肉厚となっており、第２及び第３肉厚部３２ｃ，３２ｄは支柱に対して側方にそれぞれ肉厚となっている。
【００２７】
次に、本実施形態に係るサンバイザ支持部材１の取付方法について説明する。図３は、サンバイザ支持部材１の取付方法を示す断面図であって、（ａ）は取付前の状態を示し、（ｂ）は仮固定状態を示し、（ｃ）は本固定状態を示している。なお、図３は、図１に示したＣ−Ｃ断面を状態毎に示している。
【００２８】
まず、図３（ａ）に示すように、ピン３０はブラケット１０及び鉄クリップ２０に対して半挿入状態となっている。図４は、半挿入状態におけるピン３０と鉄クリップ２０との関係を示す断面図である。なお、図４では、図１に示すＢ−Ｂ断面を示している。図４に示すように、ピン３０は断面半円形状の先端部３２ａが第２及び第３弾性片２３，２４の折れ曲がり部に引っ掛かるようにして半挿入状態を維持している。この状態において作業者は、サンバイザ取付部材１を天井パネルＰに形成された孔に挿入する。
【００２９】
より詳細に説明すると、鉄クリップ２０の第１弾性片２２は、撓みながら挿入される。また、第１弾性片２２が撓みながら挿入されることから、挿入過程において第１弾性片２２の反力が作用し、サンバイザ支持部材１は他側方向にスライドさせられることとなる。この結果、図３（ｂ）に示すように、第１弾性片２２が完全に挿入されて天井パネルＰに係合すると共に、スライドにより引っ掛け爪１３が天井パネルＰに係合することとなる。以上のようにして、サンバイザ支持部材１は仮固定が行われる。
【００３０】
このように、本実施形態では単にサンバイザ支持部材１を天井パネルＰの孔に挿入すれば、第１弾性片２２が天井パネルＰに係合するだけでなく、第１弾性片２２の反力により引っ掛け爪１３についても天井パネルＰに係合するため、図６に示すように、挿入と回動という２操作を行う必要が無く、挿入という１操作のみで仮固定を行うことができる。
【００３１】
なお、上記においては、第１弾性片２２のみならず、第２及び第３弾性片２３，２４についても反力を発生させるが、両者は対向する位置に設けられていることから反力が拮抗することとなり、スライド方向は他側方向となる。
【００３２】
次いで、作業者はピン３０を完全挿入する。ピン３０が完全挿入されると、図３（ｃ）に示すように、ピン３０の第１肉厚部３２ｂは第１弾性片２２を押し広げることとなる。これにより、第１弾性片２２は撓みが規制されることとなり、サンバイザ支持部材１が天井パネルＰの孔から外れないようになる。すなわち、サンバイザ支持部材１は本固定されることとなる。
【００３３】
ここで、図６に示したサンバイザ支持部材では、挿入の後に回動を行うことで仮固定が行われ、且つ、その後に挿入部材１０５を回動させることで本固定を行うため、仮固定を経て本固定を行うまでは、挿入、第１の回動、及び第２の回動という３操作が必要となってしまう。
【００３４】
しかし、本実施形態に係るサンバイザ支持部材１は、上記したように、単にサンバイザ支持部材１を天井パネルＰの孔に挿入するだけで、仮固定を経て本固定まで行うことができる。すなわち、仮固定の際の挿入方向と、本固定における挿入方向とが同じであるため、仮固定のみならず本固定までも１操作で行うことができる。
【００３５】
図５は、完全挿入状態におけるピン３０と鉄クリップ２０との関係を示す断面図である。図５に示すように、ピン３０の第２及び第３肉厚部３２ｃ，３２ｄについても、第２及び第３弾性片２３，２４を押し広げることとなる。よって、サンバイザ支持部材１は、引っ掛け爪１３及び第１弾性片２２のみならず、第２及び第３弾性片２３，２４により、４方向に強固に固定されることとなる。
【００３６】
すなわち、引っ掛け爪１３及び第１弾性片２２のみの固定しか行われないとすると、２点のみの係合であるため、回動方向に力が加わった場合にサンバイザ支持部材１が外れてしまい易くなってしまう。しかし、本実施形態に係るサンバイザ支持部材１は、引っ掛け爪１３及び第１弾性片２２のみならず、第２及び第３弾性片２３，２４による固定も行われるため、４点固定（４方向に対する固定）となり、たとえ回動方向の力が作用してもサンバイザ支持部材１が外れ難くすることができる。
【００３７】
加えて、本固定においては、第１〜第３肉厚部３２ｂ〜３２ｄが第１〜第３弾性片２２〜２４の撓みを規制するため、本固定における固定力を一層強固なものとすることができる。
【００３８】
以上のようにして、本実施形態に係るサンバイザ支持部材１の取付構造によれば、サンバイザ支持部材１の孔へ挿入時において第１弾性片２２の反力によりブラケット１０の他側方向へブラケット１０をスライドさせ、このスライドにより天井パネルＰに引っ掛け爪１３を係合させる。このため、単にサンバイザ支持部材１を天井パネルＰの孔に挿入すれば、第１弾性片２２の反力により引っ掛け爪１３が天井パネルＰに係合されることとなり、挿入という１操作によりサンバイザ支持部材１を天井パネルＰに取り付けることができる。従って、作業性の向上を図ることができる。
【００３９】
また、スライド方向を挟む両サイド位置に形成されて孔に係合する第２及び第３の弾性片２３，２４を有するため、サンバイザ支持部材１に回動する力が加わったとしても、３つの弾性片２２〜２４で固定することにより回動方向の力によりサンバイザ支持部材１が外れてしまう事態を３つの弾性片２２〜２４により効果的に防止することができる。
【００４０】
また、仮固定における操作方向（挿入方向）と本固定における操作方向（挿入方向）が同じであるため、仮固定を経た本固定についても１操作で行うことができる。
【００４１】
さらに、本実施形態では引っ掛け爪１３と鉄クリップ２０の第１〜第３弾性片２２〜２４によりサンバイザ支持部材１を天井パネルＰの孔に係合させるため、第１〜第３弾性片２２〜２４については鉄という熱に強い素材を用いることとなり、高温に曝される可能性がある車両環境においても熱により変形等してサンバイザ支持部材１が外れてしまう事態を防止することができる。
【００４２】
以上、実施形態に基づき本発明を説明したが、本発明は上記実施形態に限られるものではなく、本発明の趣旨を逸脱しない範囲で、変更を加えてもよい。
【００４３】
例えば本実施形態においては、引っ掛け爪１３と第１〜第３弾性片２２〜２４によりサンバイザ支持部材１を天井パネルＰの孔に係合させているが、これに限らず、引っ掛け爪１３と第１弾性片２２によってサンバイザ支持部材１を天井パネルＰの孔に係合させてもよい。
【００４４】
また、本実施形態では鉄クリップ２０を用いているが、特に鉄に限らず、他の金属を用いてもよいし、可能であれば樹脂を用いるようにしてもよい。
【符号の説明】
【００４５】
１…サンバイザ支持部材
１０…ブラケット（基部）
１１…外壁
１１ａ…切り欠き部
１２…支持部
１３…引っ掛け爪
２０…鉄クリップ
２１…基端部
２２〜２４…弾性片
２５…ブラケット係止部
３０…ピン
３１…基部
３２…ピン部
３２ａ…先端部
３２ｂ〜３２ｄ…肉厚部
３２ｅ…支柱
【図１】
2014019420.tif 000003
【図２】
2014019420.tif 000004
【図３】
2014019420.tif 000005
【図４】
2014019420.tif 000006
【図５】
2014019420.tif 000007
【図６】
2014019420.tif 000008